(57)【特許請求の範囲】
【請求項１】
印画紙が巻き取られた印画紙ロールと、
繰り出しロール、これと平行に配置された巻き取りロール、及び前記繰り出しロールに巻き取られたインクリボンを有するインクリボンユニットと、
前記印画紙ロール及びインクリボンユニットを収納する収納箱と、
前記収納箱に収納され、前記印画紙ロールとインクリボンユニットとを仕切る仕切り部材と、を備え、
前記仕切り部材は、前記印画紙ロールを軸方向の両端部において挟む一対の板状の狭持部と、前記両狭持部を連結する板状の連結部とを有し、
前記連結部は、前記印画紙ロールの径方向に、前記収納箱内を、前記印画紙ロール及びインクリボンユニットがそれぞれ配置される第１及び第２の収納領域に仕切り、しかも、前記軸方向から傾斜するように延びている、梱包体。
【請求項２】
印画紙が巻き取られた印画紙ロールと、
繰り出しロール、これと平行に配置された巻き取りロール、及び前記繰り出しロールに巻き取られたインクリボンを有するインクリボンユニットと、
前記印画紙ロール及びインクリボンユニットを収納する収納箱と、
前記収納箱に収納され、前記印画紙ロールとインクリボンユニットとを仕切る仕切り部材と、を備え、
前記仕切り部材は、前記印画紙ロールを軸方向の両端部において挟む一対の板状の狭持部と、前記両狭持部を連結する板状の連結部とを有し、
前記連結部は、前記印画紙ロールの径方向に、前記収納箱内を、前記印画紙ロール及びインクリボンユニットがそれぞれ配置される第１及び第２の収納領域に仕切り、しかも、前記軸方向から傾斜するように延びており、
前記印画紙ロールは、軸芯部分に円筒状の軸芯空間を有しており、
前記各狭持部には、前記印画紙ロール側に突出し、前記軸芯空間に嵌合する軸固定部材がそれぞれ設けられている、梱包体。
【請求項３】
前記仕切り部材は、展開したときに、一方の狭持部、連結部、及び他方の狭持部がこの順で並ぶように一体的に形成され、
前記連結部は、前記狭持部よりも幅の狭い帯状に形成され、
前記連結部は、当該連結部の延びる方向に沿って前記一方の狭持部に形成された切り込みによって、当該一方の狭持部の中間部まで延長されており、当該中間部において折り曲げ可能となっている、請求項１または２に記載の梱包体。
【請求項４】
前記各挟持部は、前記収納箱において、前記印画紙ロールの軸心の端部が対向する各面と、ほぼ同じ大きさに形成されている、請求項１から３のいずれかに記載の梱包体。
【発明の詳細な説明】
【技術分野】
【０００１】
本発明は、印画紙ロール及びインクリボンユニットを収納箱に収納した梱包体に関する。
【背景技術】
【０００２】
ロール状の製品の梱包形態としては、例えば、特許文献１に記載のものなど、種々のものが提案されている。このように、ロール状製品自体の梱包形態は、多岐に亘り、最近では、ロール状製品に加え、付属物も同時に梱包する試みがなされている。例えば、ロール状製品の一つである印画紙ロールについては、これに印画を行うインクリボンユニットも同じ収納箱に梱包することで、ユーザの利便性を向上している。
【特許文献１】特開平７−６９３４１号公報
【発明の開示】
【発明が解決しようとする課題】
【０００３】
ところで、上記のようなインクリボンユニットは、インクリボンが巻き取られた繰り出しロールと、これに平行に配置された巻き取りロールとがセットになったものであり、未使用時には、繰り出しロールの径が大きい一方、巻き取りロールの径が小さくなっている。すなわち、径の異なる２つのロールが平行に配置された異形の形状をなしているため、収納箱内での固定が難しいという問題があった。すなわち、立方体または直方体といった対向する面が平行な形状を有する内容物は、比較的簡単な固定具や仕切り材で収納箱内に固定することができるが、上記のような異形の内容物では、固定のための部材が複雑になったり、隙間を埋めるために余分な部材が必要になるため、部品点数が多くなるという問題も有している。
【０００４】
本発明は、上記問題を解決するためになされたものであり、少ない部品点数で異形のインクリボンユニットを確実に固定することができる梱包体を提供することを目的とする。
【課題を解決するための手段】
【０００５】
本発明に係る梱包体は、上記問題を解決するためになされたものであり、印画紙が巻き取られた印画紙ロールと、繰り出しロール、これと平行に配置された巻き取りロール、及び前記繰り出しロールに巻き取られたインクリボンを有するインクリボンユニットと、前記印画紙ロール及びインクリボンユニットを収納する収納箱と、前記収納箱に収納され、前記印画紙ロールとインクリボンユニットとを仕切る仕切り部材と、を備え、前記仕切り部材は、前記印画紙ロールを軸方向の両端部において挟む一対の板状の狭持部と、前記両狭持部を連結する板状の連結部とを有し、前記連結部は、前記印画紙ロールの径方向に、前記収納箱内を、前記印画紙ロール及びインクリボンユニットがそれぞれ配置される第１及び第２の収納領域に仕切り、しかも、前記軸方向から傾斜するように延びている。
【０００６】
この構成によれば、仕切り部材の連結部が、収納箱内を、印画紙ロール及びインクリボンユニットが、当該印画紙ロールの径方向に並ぶように仕切っており、さらに連結部は、印画紙ロール軸方向から傾斜するように延びている。したがって、インクリボンユニットの収納される第２の収納領域は、軸方向の一方から他方にいくにしたがって、面積が狭くなるように構成されている。そのため、インクリボンユニットの収納に当たっては、径の大きい繰り出しロール側を印画紙ロールの軸方向の一方側に配置し、径の小さい巻き取りロール側を他方側に配置することで、収納することができる。したがって、径の異なるロールを有するインクリボンユニットに適合したスペースを作ることができ、インクリボンユニットを確実に固定することができる。
【０００７】
また、印画紙ロールとインクリボンユニットとを仕切る仕切り部材は、上記のように一対の狭持部と連結部とで構成されているにすぎないため、隙間を埋めるような特別な部材は不要であり、部品点数を少なくすることができ、ひいてはコストダウンを図ることができる。
【０００８】
上記印画紙ロールは、一対の狭持部の間に配置されるのであるが、このとき、各狭持部に印画紙ロールを固定する固定手段を設けることが好ましい。固定手段としては、例えば、印画紙ロールの軸芯部分に円筒状の軸芯空間が形成されている場合には、次のように印画紙ロールを固定することができる。すなわち、各狭持部に、印画紙ロール側に突出し、軸芯空間に嵌合する軸固定部材をそれぞれ設ければよい。このように、印画紙ロールの内部に嵌合する部材を用いて固定することができるので、省スペース化が可能になる。
【０００９】
仕切り部材は、種々の態様があるが、例えば、一方の狭持部の中間部に、連結部の一端部を連結し、他方の狭持部の端部またはその近傍に連結部の他端部を連結することで構成することができ、こうすることで、連結部を軸方向から傾斜して配置することができる。或いは、次のように構成することもできる。すなわち、仕切り部材を、展開したときに、一方の狭持部、連結部、及び他方の狭持部がこの順で並ぶように一体的に形成し、連結部を、狭持部よりも幅の狭い帯状に形成する。そして、連結部の延びる方向に沿って一方の狭持部に形成された切り込みによって、連結部が、一方の狭持部の中間部まで延長するようにし、この中間部において連結部を折り曲げ可能とする。この構成によれば、仕切り部材を一枚の板材などによって、一体的に形成することができ、コストの低減及び製造の簡易化を図ることができる。なお、中間部とは、必ずしも、狭持部の中央を指すのではなく、両端部の間の任意の位置を指す。
【００１０】
なお、本発明で用いられる印画紙ロール及びインクリボンユニットは、画像の形成のほか、文字の印刷も可能である。また、ロール状に形成されているのであれば、印画紙ロールの材料、大きさは特には限定されず、またインクリボンも特には限定されない。
【発明の効果】
【００１１】
本発明に係る梱包体によれば、少ない部品点数で異形のインクリボンユニットを確実に固定することができる。
【発明を実施するための最良の形態】
【００１２】
以下、本発明に係る梱包体の一実施形態について図面を参照しつつ説明する。図１はこの梱包体から内容物を取り出して分解した状態を示す斜視図、図２は図１の梱包体の断面図である。
【００１３】
図１に示すように、この梱包体は、直方体状の紙製の収納箱１に、印画紙ロール２と、これに印画を行うインクリボンユニット３とを梱包したものである。また、収納箱１には、印画紙ロール２及びインクリボンユニット３を仕切る仕切り部材４が収納されており、この仕切り部材４によって、図２に示すように、収納箱１の左側に印画紙ロール２が配置され、右側にインクリボンユニット３が配置されている。
【００１４】
印画紙ロール２は、公知のものであり、円筒状の軸芯２１に印画紙が巻き取られたものであり、全体として円筒状に形成されている。梱包時には印画紙の保護のため、印画紙ロール２を軟らかい樹脂製の袋２２に収納した後に、収納箱１に収容される。このとき、印画紙ロール２は、軸芯２１が上下方向を向くように収納箱１に配置される。また、図２に示すように、軸芯２１の長さは、収納箱１の高さとほぼ同じになっている。
【００１５】
一方、インクリボンユニットも公知のものであり、図２に示すように、インクリボンが巻き取られた繰り出しロール３１と、これと平行に配置された巻き取りロール３２を有している。これらのロール３１，３２は、軸方向の端部を互いに連結する連結部材３３によって固定されている。このような構成により、インクリボンユニット３は、径の異なる２つのロール３１，３２が並ぶ異形の形状をなしており、梱包時には印画紙ロール２と同様に、樹脂製の袋３３に収納された後、収納箱１に収容される。
【００１６】
次に、仕切り部材について図３も参照しつつ説明する。図３は仕切り部材の展開図である。同図に示すように、仕切り部材４は、厚紙で板状に形成されており、矩形状の一対の狭持部４１、４２と、これを連結する帯状の連結部４３とで構成されている。各狭持部４１、４２は、それぞれ収納箱１の上面及び下面とほぼ同じ大きさの矩形状に形成されており、図２に示すように、印画紙ロール２の軸方向の各端面に接して、ロール２を上下から挟むように配置される。ここでは、収納箱１の上側及び下側に配置される挟持部をそれぞれ、第１挟持部４１，及び第２挟持部４２と称することとし、第１挟持部４１が収納箱１の下面１１と接し、第２挟持部４２が収納箱１の上面４２と接する。
【００１７】
図２及び図３に示すように、第１挟持部４１上には、左側に印画紙ロール１が配置され、境界Ｚの右側にインクリボンユニット３が配置される。より詳細には、図３に示すように、第１挟持部４１の幅方向Ｙ（同図の上下方向）の長さが、印画紙ロール２の直径Ｄと対応している。一方、第１挟持部４１の長さ方向Ｘ（図の左右方向）の長さは、印画紙ロール２の直径Ｄと、繰り出しロール３１の直径ｄとの合計長さより若干長く設計されている。第２挟持部４２も、第１挟持部４１と同じ大きさであり、図３に示すように展開図にした場合には、同図の右側に印画紙ロール１が配置される。また、両挟持部４１，４２において、印画紙ロール１が配置される位置には、軸芯２１を固定するための貫通孔４７、４８が形成されており、後述する軸固定部材によって印画紙ロール１が各挟持部４１，４２に固定される。
【００１８】
また、第１挟持部４１には、右側の端部から長さ方向Ｘに延びる一対の切り込み４４が形成されている。この切り込みは、連結部を延長するように延びており、これによって、連結部４３は、第１狭持部の中間まで延びている。そして、その端部が、上述した境界Ｚとなっている。このように、連結部４３は、切り込み４４によって、第１挟持部４１の右端部を折り目とするのではなく、長さ方向Ｘの中間、つまり境界Ｚを折り目として折り曲げ可能になっている。なお、第２挟持部４２においても、左端部からわずかに切り込み４５が形成されており、連結部４３は、第２挟持部４２の左端部からわずかに入った位置Ｎを折り目として折り曲げられる。
【００１９】
こうして、仕切り部材４は、上述した折り目Ｚ，Ｎでコ字状に折り曲げられ、図２に示すように、収納箱１内に配置される。これにより、収納箱１には、連結部４３を挟んで左側の第１収納領域１５に印画紙ロール２が配置され、右側の第２収納領域１６にインクリボンユニット３が配置される。このとき、連結部４３の下側の折り目Ｚが、第１挟持部４１の中間に形成されているため、第２収納領域１６は、正面視で下から上にいくにしたがって幅が狭くなっている。このため、インクリボンユニット３は、各ロール３１，３２の軸が印画紙ロール２の軸芯２１と直交するようにした上で、径の大きい繰り出しロール３１を下に、径の小さい巻き取りロール３２側を上に向くように配置することで、収納される。
【００２０】
一方、第１収納領域１５に収納される印画紙ロール２は、次に説明する軸固定具によって固定されている。軸固定部材５は、狭持部４１，４２の貫通孔４７，４８にそれぞれ嵌合する円筒状の本体部５１と、その軸方向の一端部から径方向に突出するフランジ部５２とで構成されている。そして、図２に示すように、各軸固定部材５は、各狭持部４１，４２のロール２とは反対側の面から貫通孔４７，４８に挿入され、ロール側に突出するように取り付けられる。このとき、フランジ部５２が貫通孔４７，４８の周縁に係合するため、軸固定部材５は狭持部４１，４２から抜けることなく固定される。
【００２１】
以上のように、本実施形態によれば、連結部４３の下側の折り目Ｚを第１挟持部４１の中間に設けているため、インクリボンユニット３が収納される第２収納領域１６は、下から上にいくにしたがって幅が狭くなっている。すなわち、径の異なるロールを有するインクリボンユニット３に適合した収納スペースを作ることができるため、インクリボンユニット３を確実に固定することができる。また、印画紙ロール２とインクリボンユニット３とを仕切る仕切り部材４は、上記のように一対の狭持部４１，４２と連結部４３とで構成されているにすぎないため、隙間を埋めるような特別な部材は不要であり、部品点数を少なくすることができ、ひいてはコストダウンを図ることができる。
【００２２】
以上、本発明の一実施形態について説明したが、本発明は上記実施形態に限定されるものではなく、その趣旨を逸脱しない限りにおいて種々の変更が可能である。例えば、仕切り部材の構成は、種々の構成が可能であり、仕切り部材を収納箱に入れたときに、正面視で連結部が斜め方向に延び、第２収納領域が一方から他方へ向かって狭くなるように構成されていれば、その他の構成は、特には限定されない。上記実施形態では、仕切り部材４を一体的に形成しているが、これを別個に作成して連結してもよい。この場合、例えば、連結部を別体で形成し、狭持部の中間部に、揺動自在に連結することもできる。また、仕切り部材を単にコ字状に折り曲げた板状の部材としてもよく、このときに、中間に配置される連結部が斜めに延びるようになっていればよい。
【００２３】
また、印画紙ロールを狭持部に固定するための手段は、上述した軸固定部材以外の構成でもよく、挟持部に印画紙ロールが固定できるのであれば、特には限定されない。さらに、収納箱には、一の印画紙ロールと、一のインクリボンユニットだけを収納するのではなく、その他の部材（例えば、追加の印画紙ロールなど）を収納することもできる。したがって、少なくとも、インクリボンユニットを収納する第２収納領域が上記のような構成を採るために、印画紙ロールとインクリボンユニットとを仕切る連結部が斜めに延びるようになっていればよい。
【図面の簡単な説明】
【００２４】
【図１】本発明の一実施形態に係る梱包体を分解した状態を示す斜視図である。
【図２】図１の梱包対の断面図である。
【図３】仕切り部材の展開図である。
【符号の説明】
【００２５】
１    収納箱
２    印画紙ロール
３    インクリボンユニット
４    仕切り部材
４１  第１挟持部
４２  第２挟持部
４３  連結部
【図１】
0004967902.tif 000002
【図２】
0004967902.tif 000003
【図３】
0004967902.tif 000004